(57)【要約】【課題】ＩＣカード等のカードの脱着を容易に行い且つ前記カードの脱落を防止することができる、カードコネクタ技術を提供する。【解決手段】基台となるハウジング１０と、前記ハウジング１０に対し、スライド方向でロック及びその解除が為され、ロックが解除されると前記ハウジング１０に対して開き、開いた時にカード２を挿抜可能なカバー２０と、カバー２０の一部分に形成されカバー２０の開放操作を行うための開放操作部２２とを備え、前記カバー２０は、回動軸２１を支点として回動し、この支点から近い点である開放操作部２２を力点とし、前記支点の反対側の遠い点であるカード挿抜用のカバー開口２０ａを作用点とした。【選択図】　図３
2004071353.tif 000002
【特許請求の範囲】
【請求項１】
基台となるハウジング（１０）と、
前記ハウジング（１０）に対し、スライド方向でロック及びその解除が為され、ロックが解除されると前記ハウジング（１０）に対して開き、開いた時にカード（２）を挿抜可能なカバー（２０）と、
カバー（２０）の一部分に形成されカバー（２０）の開放操作を行うための開放操作部（２２）とを備え、
前記カバー（２０）は、回動軸（２１）を支点として回動し、この支点から近い点である開放操作部（２２）を力点とし、前記支点の反対側の遠い点であるカード挿抜用のカバー開口（２０ａ）を作用点とする、カードコネクタ（１）。
【請求項２】
前記カバー（２０）は、当該カバー（２０）の開動作を補助する弾性材（２７）を有する、請求項１に記載のカードコネクタ（１）。
【請求項３】
前記カバー（２０）は、その両側に、前記カード（２）を挿抜するに当たり、前記カード（２）を案内する案内溝（２５，２５）を有し、
この案内溝（２５，２５）を画成する、カバーの側面部（２４，２４）には、カード（２）を両側で挟持する弾性材（２９，２９）を有する、請求項２に記載のカードコネクタ。
【発明の詳細な説明】
【０００１】
【発明の属する技術分野】
本発明は、携帯型電話機等に用いるカードコネクタの技術に関するものである。
【０００２】
【従来の技術】
一般に、例えば携帯型電話機には、記憶用メモリＩＣが備えられている。
【０００３】
このメモリＩＣには加入者識別情報の他に、例えばユーザが利用する電話番号、または着信音のメロディ情報等を記憶することができる。
【０００４】
メモリＩＣは、携帯型電話機の本体に固定接続されている場合が一般的である。
このため、例えば携帯型電話機を買い換えたときに新しい携帯型電話機のメモリＩＣに情報の書込みを行う場合、または携帯型電話機の所有者を変更するときにメモリＩＣの情報の書換えを行う場合等、新規携帯型電話機に換えたことによる動作環境の整備を実施する必要がある。
【０００５】
このような携帯型電話機における情報の書き換えに関する問題を解決するために、前記メモリＩＣに代えて、前記の如き必要な情報が記憶され且つ挿抜可能なＩＣカードを情報記憶媒体として用いたものがある。
携帯型電話機の情報記憶媒体としてのＩＣカードは、携帯型電話機に固定されるＩＣカード接続用コネクタ（以下カードコネクタと称する）に対して挿抜される。
そして、ＩＣカードがカードコネクタに装着されたとき、ＩＣカードは携帯型電話機と電気的に接続される。
【０００６】
このように携帯型電話機等にＩＣカードを用いることで、記憶されている情報の活用ができる。
【０００７】
従って、携帯型電話機を買い換えた場合でも、これまで使用していた携帯型電話機のＩＣカードを新しい携帯型電話機に付け替えることができる。
また、携帯型電話機の所有者が変わった場合でも、新たな所有者は、当該携帯型電話機に装着するＩＣカードを自己のものに交換することで、新たな所有者は、自己にあった環境で携帯型電話機の利用ができる。
【０００８】
このようにＩＣカードを携帯型電話機に用いることで、直ちに新たな携帯型電話機の使用が可能になるうえ、新しい携帯型電話機を所有する度に別途情報の書込みや書換え作業をしなくて済む。
【０００９】
携帯型電話機におけるＩＣカードを挿抜可能にするための技術として、例えば特開２０００−４８８７９号公報に開示のＩＣカード用のカードコネクタが提案されている。
【００１０】
このカードコネクタは、基台となるハウジングと、このハウジングに対して開閉し、開いたときに開口部からカードを挿抜可能なカバーとを備えている。
【００１１】
【発明が解決しようとする課題】
ところで、このカードコネクタにあっては、カバーの閉状態を維持するロック機構を備えている。そして、前記カードをカバーに対して挿抜するのに、カバーをスライドさせてロック機構を解除し、もって前記カバーを開くようになっている。
しかし、このカードコネクタのカバーには、前記カバーを開くために指を引っ掛ける部分がない。このため、カバーを開き難いので、カードの挿抜が面倒である。
【００１２】
また、このカードコネクタにあっては、カードを挿抜するときに、カバーの開口時におけるカバーとハウジングとの間の挟み角が不十分である。このため、ＩＣカードの挿抜を行うのに使用者の指がカバーやハウジングに引っ掛かってしまい易い。
【００１３】
さらに、このカードコネクタにあっては、何らかの原因により不用意にカバーが開いてしまったときのカードの脱落防止対策についての十分な対策が取られていない。
【００１４】
本発明は、前記した実情に鑑みて為されたものであり、その解決しようとする課題は、ＩＣカード等のカードの挿抜を容易に行い且つ前記カードの脱落を防止できる技術を提供することにある。
【００１５】
【課題を解決するための手段】
前記した課題を解決するために、本発明は以下の手段とした。
【００１６】
即ち、本発明のカードコネクタは、基台となるハウジングと、前記ハウジングに対し、スライド方向でロック及びその解除が為され、ロックが解除される前記ハウジングに対して開き、開いた時にカードを挿抜可能なカバーと、カバーの一部分に形成されカバーの開放操作を行うための開放操作部を備え、前記カバーは、回動軸を支点として回動し、この支点から近い点である前記開放操作部を力点とし、前記支点の反対側の遠い点であるカード挿抜用のカード開口を作用点とした。
【００１７】
したがって、本発明は、カバーを開口する際に開放操作部に利用者がその指を掛けることができるので、カバーのロックを解除しやすい。
また、前記力点である開放操作部に力を加えると、前記カバーの回動軸を支点となり、カバー開口が作用点となって、カバーが回動する。
【００１８】
このため、前記力点に力を加えれば、カバーを開く側に向けて容易に開くことができるので、ＩＣカード等のカードの挿抜が容易になる。
【００１９】
また、本発明のカードコネクタに、当該カバーの開動作を補助する弾性材を備えるようにしてもよい。
【００２０】
前記弾性材の弾性力を利用してカバーの開動作を補助することで、前記カバーの開口角度を十分に確保できるようになる。
従って、本発明はカードの挿抜を容易に行える。
なお、前記弾性材としては、板バネやスプリング等が挙げられる。
【００２１】
また、本発明のカードコネクタは、前記カードを挿抜するに当たり前記カードを案内する案内溝をカバーの両側面に設け、この案内溝を画成するカバーの側面部には、カバーに挿入したカードを両側で挟持する、板バネやスプリング等の弾性材を備えてもよい。
【００２２】
前記両側の案内溝に備えた弾性材による弾性力を利用することで、本発明はカードを挟持できる。
従って、前記カバーを開口したときに前記カードが当該カバーから脱落してしまうのを防止できる。
【００２３】
【発明の実施の形態】
以下、本発明であるカードコネクタの実施の形態について、図面を参照しながら、説明する。
【００２４】
図１に示すように、カードコネクタ１は、全体が扁平な略矩形状をしている。そして、カードコネクタ１は、基台としてのハウジング１０と、このハウジング１０に一端が回動自在に支持されるカバー２０とを有し、ハウジング１０とカバー２０とは略同一の大きさである。
【００２５】
また、カバー２０は、ハウジング１０に対して矢印Ａ１または矢印Ａ２方向にスライドできるようなスライド機構を備えている。
なお、スライド機構については後述する。
【００２６】
図２に示すように、カードコネクタ１は、例えば携帯型電話機３に取り付けられて、加入者識別情報などを記憶する。
【００２７】
ＩＣカード等のカード２をカードコネクタ１に挿入するときは、図３に示すようにカバー２０を開く。そして、カード２をカバー２０に対して矢印Ｂ方向から挿入する。
なお、カバー２０の開口を符号２０ａで示す。
【００２８】
また、カード２をカバー２０から抜去するときには、カバー２０を開いて前記カード２を矢印Ｃ方向に引き出す。
【００２９】
カード２をカバー２０に挿入後、図１に示すようにカバー２０を閉じて、さらにカバー２０を矢印Ａ２方向へスライドさせると、カバー２０はロック状態となり、カードコネクタ１のコンタクト１１とカード２のコンタクト３０とが接触し、当該接触の状態を維持する。もってカードコネクタ１のコンタクト１１とカード２のコンタクト３０との電気的接続が維持され、通電できるようになる。
【００３０】
この結果、カードコネクタ１が前記のように携帯型電話機に採用されている場合には、カードコネクタ１を介して携帯型電話機とカード２との間で情報のやりとりが可能になる。
【００３１】
次に、カバー２０について説明する。
カバー２０の形状は、図４を見れば分かるように、扁平な箱状体であり、カバー２０にカード２が挿入されると、その状態でカード２の上表面を覆う主面部２３と、前記カード２の側面を覆う側面部２４，２４とを有する。
【００３２】
ハウジング１０に対して自在に回動するカバー２０は、回動軸２１を回動中心にして回動する。カバー２０の回動には、梃子機構を利用している。
即ち、カバー２０は、梃子機構の支点と、この支点から近い箇所に設けた力点と、この支点から遠い反対側の箇所の作用点とを有する。
詳細に述べると、支点として前記回動軸２１が適用され、力点として開放操作部２２が適用され、作用点としてカバー開口２０ａが適用される。
【００３３】
この結果、カバー２０そのものがあたかも梃子の如き形態となる。
このように、支点としての回動軸２１と、力点としての開放操作部２２と、作用点としてのカバー開口２０ａとを有するカバー２０そのものを梃子機構と言ってよい。
【００３４】
回動軸２１は、図１に示すようにカバー２０の長手方向側の主面部２３において、カバー２０を横断する仮想の中心軸である。
この回動軸２１上で、カバー２０がハウジング１０に対して回動する。
開放操作部２２は、カバー２０の長手方向側における回動軸２１側の最端部がＬ字形になるように上方に折り曲げてある。
このようにして開放操作部２２は、使用者が指を引っ掛けやすくする。
【００３５】
カバー開口２０ａは、回動軸２１を境にし開放操作部２２の反対側にある。
開放操作部２２に使用者が指などで力を加えると、図３に示すように、まずカバー２０が矢印Ａ１方向へスライドする。このとき、係合する爪部２６，２６及び爪部係止部１２ａ，１２ａの係止が解かれてロック状態が解除され、カバー２０が開くようになり、カバー開口２０ａに対して当該カード２を挿抜できる。
【００３６】
このように、カードコネクタ１は、梃子の原理を利用しているので、カード２を挿抜するときに、使用者はカバー２０を容易に開けられる。
【００３７】
また、開放操作部２２は、図５に示すようにハウジング１０に係合する係合部２２，２２ａを有する。
係合部２２ａ，２２ａとハウジング１０の係合穴１３との係合により、回動機構が構成される。当該回動機構については、後のハウジング１０の説明で述べる。
【００３８】
またカバー２０は、その両側に図１，図３及び図５に示す如き一対の案内溝２５，２５を有する。
案内溝２５，２５は、カード２をカバー２０に対して挿抜するときに、カード２を案内する。
前記案内溝２５は、カード２を挿抜するときにカード２がカバー２０から脱落しないように、カバー２０の側面部２４，２４を内側に折り曲げられて画成されており、横断面がコの字形状をしている。
さらにカバー２０は、カバー２０をハウジング１０に係止する爪部２６，２６を側面部２４，２４にそれぞれ有する。
【００３９】
爪部２６，２６は、カバー２０を閉じたときにその閉状態を維持するための係止片である。
爪部２６，２６は、図５に示すように側面部２４，２４の縁部の一部分に形成され、内側に僅かに折り曲げられている。
また、爪部２６，２６と係合する爪部挿入部１２，１２が、ハウジング１０に形成されている。爪部挿入部１２，１２については、後のハウジング１０の説明で述べる。
なお、爪部２６，２６の形成箇所は、上記形成箇所に限定されない。カバー２０をハウジング１０に係止できる位置であればどこでもよい。
【００４０】
そして、図３，図５及び図６に示すように、カバー２０はその開閉を補助するための弾性材である開閉補助片２７を有する。
前記開閉補助片２７は、図５及び図６に示すように、カバー２０の一側縁に略平行に設けられ且つ片持ち梁状に一端支持で他端自由の状態にある。
即ち、開閉補助片２７は、案内溝２５の先端部２５ａを起点として、そこから回動軸２１のある側にカバー２０の主面部２３から漸次離間した状態で延出している金属製の板状弾性材である。
【００４１】
よって、カード２が挿入されていない場合には、カバー２０を閉じると、開閉補助片２７がカバー２０の主面部２３とハウジング１０との間で挟持され、併せて開閉補助片２７は弾性エネルギーを蓄積する。
また、カード２が挿入されている場合にカバー２０を閉じると、開閉補助片２７がカード２とハウジング１０との間で挟持され、前記と同様に開閉補助片２７は弾性エネルギーを蓄積する。
この蓄積された弾性エネルギーは、カバー２０を開くと一斉に放出され、カバー２０の開動作を補助する。
【００４２】
この結果、カバー２０は、開閉補助片２７がない場合に比べて、カバー２０を開いたときのカバー２０とハウジング１０との間の挟み角を十分に確保できる。
【００４３】
次に、ハウジング１０について説明する。
ハウジング１０は、図３に示すようにカバー２０に入れられたカード２のコンタクト３０と電気的に接続するコンタクト１１を有する。
【００４４】
コンタクト１１は、図７に示すように前記コンタクト３０と接触する接点部１１ａと、例えば携帯型電話機の図示しない基板のコンタクトと接触する接続部１１ｂとを有する。
【００４５】
また、図３に示すように、ハウジング１０の各々は、その側板１０ａの外面に爪部２６を挿入させる爪部挿入部１２，１２を有する。
爪部挿入部１２，１２は、ハウジング１０の側面の一部分を切り欠いた如き上下及び外側に開いた凹部であり、カバー２０を開閉するときに爪部２６が通る。
【００４６】
また、爪部挿入部１２，１２は、爪部係止部１２ａ，１２ａを有する。爪部係止部１２ａ，１２ａは、これが爪部２６，２６を係止することでカバー２０のハウジング１０に対する閉状態を維持し、両部材の係止が解かれることで、カバー２０のハウジング１０に開状態を招来する、ロック機構を構成する。
爪部係止部１２ａ，１２ａは、図３の矢印Ａ２で示す方向にカバー２０をスライドした場合に爪部２６，２６を係止する。
前記爪部２６，２６が爪部係止部１２ａ，１２ａに掛かることで、カバー２０はロック状態となって勝手に開かない。
反対に、爪部係止部１２ａ，１２ａは、矢印Ａ１で示す方向にスライドすると、爪部２６、２６との係止が解かれる。
爪部２６，２６と爪部係止部１２ａ，１２ａとの係止が解かれてロック状態が解除されると、爪部２６，２６は爪部挿入部１２，１２から離脱し、カバー２０を開くことができる。
【００４７】
また、ハウジング１０は、図７及び図１１に示すように、カバー２０に形成された前記係合部２２ａ，２２ａを係合するための長形の係合穴１３，１３をハウジング１０の側板１０ａ内面に有する。
前記係合穴１３，１３は、ハウジング１０の長手方向において長形である。
係合部２２ａ，２２ａと係合穴１３，１３との組み合わせにより、前記スライド機構が形成される。
前記係合部２２ａ，２２ａは、前記係合穴１３，１３内をその長手方向に移動する。
【００４８】
このため、前記係合部２２ａ，２２ａは図７に示す係合穴１３，１３内部で、矢印Ａ１又は矢印Ａ２方向に動くことができる。
そして、矢印Ａ１側にカバー２０をスライドさせ、カバー２０がそれ以上動けなくなった箇所において、図９及び図１０に示すように前記回動軸２１を構成し、カバー２０がハウジング１０に対して回動するようになっている。
【００４９】
次に、カバー２０の開動作について説明する。
図８は、カバー２０は閉じた状態であって且つカード２が挿入された状態のカードコネクタ１である。
カード２をカードコネクタ１から取り出すには、図８を正対したときに斜め上方から左斜め下方に向く矢印Ｄ方向から、開放操作部２２に力を加える。
【００５０】
前記開放操作部２２に力を加えると、開放操作部２２の係合部２２ａ，２２ａがハウジング１０の係合穴１３，１３内で矢印Ｅ方向にスライドし、図８のロック状態から図９のロック解除状態に変わるべくハウジング１０に対してカバー２０が矢印Ｅ方向に動く。
この結果、爪部２６，２６と爪部係止部１２ａ，１２ａとの係止が解かれ、ロックが解除され、爪部２６，２６は爪部挿入部１２から離脱し、カバー２０が開いた状態になる。
【００５１】
その後、前記のように支点として回動軸２１が適用され、力点として開放操作部２２が適用され、作用点としてカバー開口２０ａが適用されたカバー２０は、梃子機構を利用して、回動軸２１を中心として図９から図１０の状態変化から分かるように反時計回り方向に動く。
【００５２】
次にカバー２０の側面部２４，２４に、カード２の脱落を防止する弾性材として、脱落防止片２９，２９を設けた場合について、図１１を参照しつつ説明する。
図１１に示すように、脱落防止片２９は、カバー２０の両側の側面部２４，２４に設けられる。
脱落防止片２９，２９は、その弾性力がカバー２０に挿入されたカード２の側面を外側から押圧するように作用する。
【００５３】
このようにするために脱落防止片２９，２９は、「ヘ」の字状に屈曲され、接触部２９ａ，２９ａがカード２の側面部に当接されるようになっている。
前記脱落防止片２９，２９の弾性力がカード２に作用することで、カード２がカバー２０に強制的に挟み込まれる。
【００５４】
脱落防止片２９，２９によって、両脱落防止片２９，２９間でカード２が弾発的に挟み込まれることによって、カードコネクタ１は、カバー２０が不用意に開閉した場合であっても、カード２の脱落を防止できる。
【００５５】
前記した構成によって、本発明のカードコネクタ１は、以下のような作用及び効果を得られる。
【００５６】
即ち、本発明のカードコネクタ１は、基台となるハウジング１０と、前記ハウジング１０に対し、スライド方向でロック及びその解除が為され、ロックが解除される前記ハウジング１０に対して開き、開いた時にカード２を挿抜可能なカバー２０と、カバー２０の一部分に形成されカバー２０の開放操作を行うための開放操作部２２を備えたカードコネクタ１であって、前記カバー２０は、回動軸を支点として回動し、この支点から近い点を力点とし、前記支点の反対側の遠い点であるカード挿抜用のカード開口２０ａを作用点とした。
【００５７】
したがって、本発明は、カバー２０を開口する際に開放操作部２２に利用者がその指を掛けることができるので、ロックを解除しやすい。
このため、開放操作部２２に力を加えれば、カバー２０を容易に開くことが着るので、カード２の挿抜が容易になる。
【００５８】
開閉補助片２７の弾性力を利用してカバー２０の開動作を補助することで、前記カバー２０の開口角度を十分に確保できる。
従って、本発明は、カード２の挿抜をさらに容易に行える。
【００５９】
両側の側面部２４，２４に備えた脱落防止片２９による弾性力を利用することで、本発明はカード２を挟持することができる。
従って、前記カバー２０を開口したときに前記カード２が当該カバー２０から脱落することを防止することができる。
【００６０】
なお、本発明のカードコネクタは、本実施の形態にのみ限定されるものではなく、本発明の要旨を逸脱しない範囲内において種々変更を加え得ることは勿論である。
【００６１】
【発明の効果】
以上、説明したように本発明のカードコネクタによれば、ＩＣカード等のカードの挿抜を容易に行い且つ前記カードの脱落を防止することができる、という優れた効果を奏し得る。
【図面の簡単な説明】
【図１】本発明の実施の形態に係るカードコネクタのカバーを閉じた状態を示す図。
【図２】本発明の実施の形態に係る、カードコネクタを携帯電話に取り付けた場合の一例を示す図。
【図３】本実施の形態に係るカードコネクタのカバーを開いた状態の一例を示す図。
【図４】本発明の一実施の形態に係るカードコネクタの三面図。
【図５】本実施の形態に係る、カバーを内側から見た平面図。
【図６】本実施の形態に係る、図５のＡ−Ａ線断面図。
【図７】本実施の形態に係るハウジングにおけるコンタクトの配置を示す図。
【図８】本発明の実施の形態に係る、カードコネクタにおけるカバーの開閉操作を示す図であって、カバーがスライドする前の状態を示す図。
【図９】本発明の実施の形態に係る、カードコネクタにおけるカバーの開閉操作を示す図であって、カバーがスライドした状態を示す図。
【図１０】本発明の実施の形態に係る、カードコネクタにおけるカバーの開閉操作を示す図であって、カバーが開いた状態を示す図。
【図１１】本発明の実施形態に係るカードコネクタにおいて、カバーの側面部に、カードの脱落を防止する脱落防止片を設けた場合を示す図。
【符号の説明】
１　カードコネクタ
２　カード
３　携帯型電話機
１０　ハウジング
１０ａ　側板
１１　コンタクト
１１ａ　接点部
１１ｂ　接続部
１２　爪部挿入部
１２ａ　爪部係止部
１３　係合穴
２０　カバー
２０ａ　開口
２１　回動軸
２２　開放操作部
２２ａ　係合部
２３　主面部
２４　側面部
２５　案内溝
２５ａ　先端部
２６　爪部
２７　開閉補助片
２９　脱落防止片
２９ａ　接触部
３０　コンタクト
【図１】
2004071353.tif 000003
【図２】
2004071353.tif 000004
【図３】
2004071353.tif 000005
【図４】
2004071353.tif 000006
【図５】
2004071353.tif 000007
【図６】
2004071353.tif 000008
【図７】
2004071353.tif 000009
【図８】
2004071353.tif 000010
【図９】
2004071353.tif 000011
【図１０】
2004071353.tif 000012
【図１１】
2004071353.tif 000013